(57)【特許請求の範囲】
【請求項１】
地上に設置し、内部に配電機器を収納する外箱であって、当該外箱を載置するベースが、前後側辺が二つのアングル材を突き合わせ、当該突き合わせた端縁間に隙間を有する四辺形枠体から成り、前記配電機器にその一端を接続する、地中から立ち上げたケーブルを当該配電機器の下方で支持固定するブラケットの取り付け構造において、
前記ベースの後側辺に設けられた隙間にボルトの頭体又は鈎型係止片の一片をベースの外側に係止し、当該ボルト又は鈎型係止片のベースの内側に伸びた部材に、前記ベースの内側から間隔をあけて設けた平板部を有する支持体を固定し、当該支持体の平板部に、前記ブラケット又は前記ブラケットを支持した位置調整用板体を支持固定することを特徴とする、配電機器を収納した外箱におけるケーブルブラケットの取り付け構造。
【請求項２】
前記ボルトは、頭部を有するボルトを使用し、前記外箱の外側から当該ボルト２本の各ねじ部を前記ベースの隙間に間隔をあけて夫々挿入して当該ボルトの頭部を前記隙間に係止し、間隔をあけて外箱の内側に突出した各ボルトのねじ部に、前記支持体を固定することを特徴とする、前記請求項１に記載の配電機器を収納した外箱におけるケーブルブラケットの取り付け構造。
【請求項３】
前記ボルトは、頭部を一方向に扁平に設けたものを使用し、前記外箱の内側から当該ボルト２本を、前記ベースの隙間に間隔をあけて前記扁平な各頭部を水平にして夫々挿入後、当該各頭部を略直角に回して当該隙間に係止し、間隔をあけて外箱の内側に突出した各ボルトのねじ部に、前記支持体を固定することを特徴とする、前記請求項１に記載の配電機器を収納した外箱におけるケーブルブラケットの取り付け構造。
【請求項４】
前記鈎型係止片は、アングル状の係止片を使用し、前記外箱の内側から当該係止片２つの各一側片を前記ベースの隙間に挿入して当該ベースの外側に突出させ、当該各一側片を当該ベースの外側で略一直線状に配置して当該ベース内の前記二つの係止片の他側片を重ねて当該係止片をベースの隙間に係止し、前記重ね合わせた他側片に予め設けた各貫通孔に、別途設けた頭部に貫通孔を穿ったボルトの当該頭部の貫通孔の位置を合わせ、これらの貫通孔にボルトを挿入してナットで締め付けて固定し、同様のものを間隔をあけて前記隙間にもう一つ設け、
前記各ボルトのねじ部に、前記支持体を固定することを特徴とする、前記請求項１に記載の配電機器を収納した外箱におけるケーブルブラケットの取り付け構造。
【請求項５】
前記支持体は、板体の両端部を屈曲させて段部とし、当該両端の平板部に貫通孔を設けたものから成り、当該貫通孔に、前記ボルトのベースの内側に伸びた部材を通して固定することを特徴とする、前記請求項２又は３に記載の配電機器を収納した外箱におけるケーブルブラケットの取り付け構造。
【発明の詳細な説明】
【技術分野】
【０００１】
この発明は、路上に設置されている配電機器を収納した外箱において、地中から立ち上げられたケーブルを支持固定するケーブルブラケットの取り付け構造に関するものである。
【背景技術】
【０００２】
電力需要家に、電力を供給するために路上等に配電機器を収納した外箱が設置されている。この外箱の中には、配電機器として開閉器や断路器等が収納設置されており、必要に応じて電力の供給を停止したり、又は再開するようになっている。そして、これらの開閉器や断路器は、電力会社が所有するものと、電力需要家が所有するものとに分かれている。
【０００３】
この様な外箱内において、地中から立ち上げられ、前記開閉器や断路器等に接続されるケーブルをこれらの機器の下方で支持固定するためにブラケットが使用されている。このブラケットは、外箱の取り付け板や内側板に固定し、前記ケーブルを収束して支持している。図１２は、この構成を示すものである。また、ブラケットとしては、特許文献１に示すものが有る。
【特許文献１】特開平１１−８９０６５号公報
【０００４】
前記図１２に示すように、外箱Ａは、扁平な直方体形状を立設した形であり、左右で区画されており、左側が電力供給側で三相の断路器Ｂを２回路、右側が需要家側で同様の断路器Ｂが１回路設置されており、地中から立ち上げられたケーブル１を夫々接続している。これらの各ケーブル１は下方で３本ずつ収束されて外箱Ａ内に水平に設けられた板体２にブラケット３で夫々支持固定されている。また、外箱Ａの前面には、左右に開く開閉扉が設けられている（図示省略）。
【０００５】
この外箱Ａの下部のベース４は、左右方向に位置する相対向する短辺にチャネル型鋼材１８を、その凹部１８ａを外側にして形成し、前後方向に位置する相対向する長辺に、二つのアングル型鋼材１９を、その各一側片１９ａを間をあけて突き合わせて上下方向に重ねて略チャネル形状にし、左右の前記チャネル型鋼材１８に溶接して形成している。
【０００６】
それ故、このベース４の前側面と後側面には、図１に示すように、水平方向に隙間５、６が設けられている。この隙間５、６は、このベース４内の湿気を外部に逃がすためのものである。また、このベース４の上面の開口部には、底板７が設けられており、配電機器が収納設置された外箱Ａ内の密封性が保持されている。
【０００７】
地絡短絡事故が発生した場合、電力供給側幹線に波及しないよう、又は当該波及を極力少なくするために幹線から切り離すことが必要なときがある。しかし、外箱内に設置収納されているのが、断路器では、電力が供給されている間は、当該電力の供給を切り離すことが出来ない。
【０００８】
この様なことから、昨今では、前記外箱に設置されている電力需要家の断路器に代えて、開閉器を設置することが進められているが、外箱において、断路器に代えて開閉器を設置する場合、図１３に示すように、気中開閉器等は縦に長く、外箱内において、前記断路器より大きく場所を取る。
【０００９】
しかしながら、外箱内において、開閉器の電線接続端子とブラケットまでの距離等は、安全等の観点から、一定の距離が求められている。それ故、断路器を開閉器に取り替えた場合、従来のケーブルをそのまま使用すると、適切な距離が確保出来ない。すなわち、外箱の底板より上の位置で、ブラケットを取り付けて使用することが出来ない。
【００１０】
一方、ケーブルを取り替えるとなると、ケーブルヘッド等の端末処理をする等多額の費用と労力、また、時間を必要とし、経済的ではない。しかも、これは電力需要家側の負担となる。よって、出来ることなら、既存のケーブルをそのまま採用する、いわゆる、既存のケーブルを現採する構造が望まれる。
【発明の開示】
【発明が解決しようとする課題】
【００１１】
そこで、発明者等は、外箱の基台と成っている、四辺形の枠体から成るベースの、前後側辺がアングル型鋼材を突き合わせて設けられており、この突き合わせ部に通風のために設けた隙間が有ることに着目し、ブラケットをこの隙間を利用して取り付けることを発明した。
【課題を解決するための手段】
【００１２】
請求項１の発明は、地上に設置し、内部に配電機器を収納する外箱であって、当該外箱を載置するベースが、前後側辺が二つのアングル材を突き合わせ、当該突き合わせた端縁間に隙間を有する四辺形枠体から成り、前記配電機器にその一端を接続する、地中から立ち上げたケーブルを当該配電機器の下方で支持固定するブラケットの取り付け構造において、前記ベースの後側辺に設けられた隙間にボルトの頭体又は鈎型係止片の一片をベースの外側に係止し、当該ボルト又は鈎型係止片のベースの内側に伸びた部材に、前記ベースの内側から間隔をあけて設けた平板部を有する支持体を固定し、当該支持体の平板部に、前記ブラケット又は前記ブラケットを支持した位置調整用板体を支持固定する配電機器を収納した外箱におけるケーブルブラケットの取り付け構造とした。
【００１３】
請求項２の発明は、前記ボルトは、頭部を有するボルトを使用し、前記外箱の外側から当該ボルト２本の各ねじ部を前記ベースの隙間に間隔をあけて夫々挿入して当該ボルトの頭部を前記隙間に係止し、間隔をあけて外箱の内側に突出した各ボルトのねじ部に、前記支持体を固定する前記請求項１に記載の配電機器を収納した外箱におけるケーブルブラケットの取り付け構造とした。
【００１４】
請求項３の発明は、前記ボルトは、頭部を一方向に扁平に設けたものを使用し、前記外箱の内側から当該ボルト２本を、前記ベースの隙間に間隔をあけて前記扁平な各頭部を水平にして夫々挿入後、当該各頭部を略直角に回して当該隙間に係止し、間隔をあけて外箱の内側に突出した各ボルトのねじ部に、前記支持体を固定する前記請求項１に記載の配電機器を収納した外箱におけるケーブルブラケットの取り付け構造とした。
【００１５】
請求項４の発明は、前記鈎型係止片は、アングル状の係止片を使用し、前記外箱の内側から当該係止片２つの各一側片を前記ベースの隙間に挿入して当該ベースの外側に突出させ、当該各一側片を当該ベースの外側で略一直線状に配置して当該ベース内の前記二つの係止片の他側片を重ねて当該係止片をベースの隙間に係止し、前記重ね合わせた他側片に予め設けた各貫通孔に、別途設けた頭部に貫通孔を穿ったボルトの当該頭部の貫通孔の位置を合わせ、これらの貫通孔にボルトを挿入してナットで締め付けて固定し、同様のものを間隔をあけて前記隙間にもう一つ設け、前記各ボルトのねじ部に、前記支持体を固定する前記請求項１に記載の配電機器を収納した外箱におけるケーブルブラケットの取り付け構造とした。
【００１６】
請求項５の発明は、前記支持体は、板体の両端部を屈曲させて段部とし、当該両端の平板部に貫通孔を設けたものから成り、当該貫通孔に、前記ボルトのベースの内側に伸びた部材を通して固定する前記請求項２又は３に記載の配電機器を収納した外箱におけるケーブルブラケットの取り付け構造とした。
【発明の効果】
【００１７】
請求項１の発明によれば、既存の地中から立ち上げられたケーブルをそのまま使用して、各種の規定を遵守して確実かつ容易に当該ケーブルを支持固定することが出来る。よって、ケーブルを取り替えないので、作業時間も少なく、費用も安価にして、経済的に作業を行うことが出来、電力需要家側の費用負担も少なくなる。また、外箱を一切、傷つけることがない。これらにより、配電機器を収納設置した外箱における電力需要家側の断路器から開閉器への取替えを推進するものであり、地絡短絡事故が発生した場合の電力供給側幹線への被害の波及を抑制、又は極力抑制することが出来、人々の安全にも貢献するものである。
【００１８】
請求項２の発明によれば、前記ボルトとして、一般に使用されている頭部を有するボルトを用い、外箱の外側から当該ボルトの頭部をベースの隙間に係止固定し、外箱の内側において、これらのボルトのねじ部に支持体を介してブラケットを取り付けたので、外箱を一切、傷つけることなく、より確実、容易かつ強固にケーブルを支持固定することが出来る。
【００１９】
請求項３の発明によれば、前記ボルトとして、頭部を一方向に扁平に設けた断面Ｔ字型のものをベースの隙間に係止固定して、これらのボルトのねじ部に支持体を介してブラケットを取り付けたので、外箱の内側からの作業のみでブラケットを取り付けることが出来、外箱の後側から作業が出来ない場合であっても、外箱を一切、傷つけることなく、より確実、容易かつ強固にケーブルを支持固定することが出来る。
【００２０】
また、請求項４の発明によれば、前記請求項１に記載の鈎型係止片として、アングル状の係止片２つを使用し、これらの各係止片の一側片を前記ベースの水平な隙間に挿入し、これらの係止片に金具及び支持体を介してブラケットを取り付けたので、外箱の内側からの作業のみでブラケットを取り付けることが出来、外箱の後側から作業が出来ない場合であっても、外箱を一切、傷つけることなく、より確実、容易かつ強固にケーブルを支持固定することが出来る。
【００２１】
さらに、請求項５の発明によれば、前記支持体は、板体の両端部を屈曲させて段部とし、当該両端の平板部に貫通孔を設けたものから成り、当該貫通孔に、前記ボルトのベースの内側に伸びた部材を通して固定するようにしたので、当該支持板を前記ボルトのベースの内側に伸びた部材に、より強固かつ容易に取り付けることが出来る。
【発明を実施するための最良の形態】
【００２２】
地上に設置し、内部に配電機器を収納する外箱であって、当該外箱を載置するベースが、前後側辺が二つのアングル材を突き合わせ、当該突き合わせた端縁間に隙間を有する四辺形枠体から成り、前記配電機器にその一端を接続する、地中から立ち上げたケーブルを当該配電機器の下方で支持固定するブラケットの取り付け構造において、前記ベースの後側辺に設けられた隙間にボルトの頭体又は鈎型係止片の一片をベースの外側に係止し、当該ボルト又は鈎型係止片のベースの内側に伸びた部材に、前記ベースの内側から間隔をあけて設けた平板部を有する支持体を固定し、当該支持体の平板部に、前記ブラケットを支持固定する。
【００２３】
これにより、既存の地中から立ち上げられたケーブルをそのまま使用して、各種の規定を遵守して確実かつ容易に当該ケーブルを支持固定することが出来る。
【実施例１】
【００２４】
以下、この発明の実施例を図に基づいて説明する。
図１は、この発明の実施例１のベース内にブラケットを取り付けた状態の一部側面図である。図２は、この発明の実施例１のベース内にブラケットを取り付けた状態の一部平面図である。
【００２５】
前記外箱Ａ内に収納設置された断路器Ｂのうち、右側の需要家側の断路器Ｂを気中開閉器Ｃ（以下、「開閉器Ｃ」と言う。）に取り替え、既存のケーブル１を使用して当該取り替え作業を行う。
【００２６】
図３は、この発明の実施例１のベースの後側面の隙間にボルトを挿入することを示した斜視図である。図４は、同ベースの後側面の隙間にボルトを係止した状態の斜視図である。図５は、この発明の実施例１使用する取り付け金具の斜視図である。
【００２７】
前記図３に示すように、頭部９ａを一方向に扁平に設けた断面略Ｔ字型のボルト９を２本用意し、また、図５に示す、取り付け金具１０を用意する。この取り付け金具１０は、長方形状の板体の両端部を屈曲させて段部とし、両端の平板部に貫通孔１０ａを穿ち、さらに、山型となった平板部にも２箇所、貫通孔１０ｂを穿ったものである。
【００２８】
ここで使用するブラケット１１としては、従来から用いられているもので、図１及び２に示すように、支持部１１ａが円形状で、当該支持部１１ａを形成する半円形状部分を有する基部１１ｂと、半円形状の押さえ部１１ｃから成り、当該基部１１ｂと押さえ部１１ｃの半円形状部の両端の一部を夫々延ばして鍔状とし、その鍔状部を相互に合わせて双方に予め設けられたねじ切りされた貫通孔にボルト１２を通して締め付けて固定するものとなっている。また、前記基部１１ｂの支持部１１ａと反対側の端部は平坦な端縁となっており、その両端部には、貫通孔を夫々穿っている。
【００２９】
そして、図３及び４に示すように、外箱Ａの内側から、前記ボルト９を扁平な各頭部９ａを水平にして前記ベース４の後側面の水平方向に設けられた隙間６に間隔をあけて挿入する。続いて、当該ボルト９の頭部９ａを略直角に回し、ボルト９を外箱の内側に引っ張って、隙間６にボルト９の頭部９ａを引っ掛けて係止する。残りの１本も同様に隙間６に係止する。
【００３０】
さらに、図２に示すように、間隔をあけて外箱Ａの内側に突出した各ボルト９のねじ部９ｂを前記取り付け金具１０の両端部の貫通孔１０ａに嵌め入れてナット１３で締めつけて固定し、当該取り付け金具１０の山型となった平板部の２箇所の貫通孔１０ｂに、ブラケット１１の貫通孔の位置を夫々合わせて、ボルト１４とナット１５で固定する。
【００３１】
その後、このブラケット１１で、３本のケーブル１を支持固定すればよい。支持固定については、図１に示すように、３本のケーブルを外皮層で被覆した１本のＣＶケーブル２６でも良い。また、３本を収束したトリプレックス形ＣＶＴケーブルでも良い。
【００３２】
また、ブラケット１１でＣＶケーブル２６を支持固定する際、上下方向の高さをより適切な位置とするために、図１０及び図１１に示す長方形状の位置調整用板体２７をブラケット１１と取り付け金具１０の間に介在させて、当該ブラケット１１と取り付け金具１０を固定することが出来る。この位置調整用板体２７には、上下方向に２列の長孔２７ａを並設しており、これらの長孔２７の適切な箇所で前記ブラケット１１と取り付け金具１０の位置を合わせ、夫々ボルト１４を螺着してナット１５で固定する。この位置調整用板体２７を介在させてブラケット１１と取り付け金具１０を取り付けることにより、ブラケット１１の上下方向の高さ調整において、より柔軟な対応が出来る。
【実施例２】
【００３３】
次に、この発明の実施例２を図に基づいて説明する。
図６は、この発明の実施例２に使用する鈎型係止片、及びこれらの鈎型係止片に固定する頭部に貫通孔を穿ったボルトの斜視図である。図７は、この発明の実施例２の取り付け金具をベースに支持固定した状態の一部平面図である。図８同一部側面図である。
【００３４】
ベース４の隙間に係止する鈎型係止片として、前記図６に示すように、アングル型鋼材から成る係止片１６を２つ用意し、これらの係止片１６の他側片１６ｂの中央には、貫通孔１６ｃを夫々穿っている。また、別途、頭部に貫通孔１７ａを穿ったボルト１７を用意する。さらに、通常の六角ボルト２１とナット２２を用意する。また、ここで使用する取り付け金具２０は、取り付け金具１０ではなく、図７に示すように、当該取り付け金具１０の両端の平板部を設けておらず、山型の平板部に４つの貫通孔２０ａを水平に並べて穿ったものから成る。
【００３５】
これらの各係止片１６の一側片１６ａを、前記ベース４の内側から前記ベース４の後側面の水平な隙間６に夫々挿入し、このベース４の外側に突出させ、図８に示すように、これらの各一側片１６ａを当該ベース４の外側で略一直線状に配置して当該ベース４内の前記二つの係止片１６の他側片１６ｂを重ねて当該係止片１６をベース４の隙間６に係止する。そして、重ね合わせた係止片１６の他側片１６ｂの各貫通孔１６ｃに、前記ボルト１７を水平にして当該ボルト１７の各貫通孔１７ａの位置を合わせて、これらの貫通孔１６ｃ、１７ａに、前記六角ボルト２１を挿入してナット２２で締め付けて固定する。同様のものを間隔をあけてもう一つ設けておく。
【００３６】
前記各ボルト１７のねじ部１７ｂを前記取り付け金具２０の左右の外側に位置する貫通孔２０ａに嵌め入れてナット２３で締めつけて固定し、当該取り付け金具２０の内側２箇所の貫通孔２０ａを用いて、前記実施例１と同様にブラケットを固定する。
【実施例３】
【００３７】
続いて、この発明の実施例３を図に基づいて説明する。
図９は、この発明の実施例３の取り付け金具を支持固定した状態の一部平面図である。この実施例３では、一般的に使用されている頭部付きのボルト２５を使用する。このボルト２５を２本を用意し、これらのボルト２５を外箱Ａの外側から、ベース４の隙間６に間隔をあけて夫々挿入して当該ボルト２５の頭部２５ａを係止し、間隔をあけて外箱Ａの内側に突出した各ボルト２５のねじ部２５ｂに、前記取り付け金具１０の両端部の貫通孔１０ａを嵌め入れてナット２４で締めつけて固定する。
【００３８】
この後、前記取り付け金具１０の山型となった平板部の２箇所の貫通孔１０ｂを用いて、前記実施例１と同様にブラケットを固定する。
【００３９】
前記実施例１、２又は３においては、作業に入る前に、前記外箱Ａの底板７を、一旦、外し、作業終了後、当該底板７を、再度、取り付けて外箱Ａ内の密閉性を回復する。
【００４０】
前記実施例では、設置されていた断路器Ｂに代えて、開閉器Ｃを設置した場合で、説明をしているが、この実施例の構造を用いるのは、この場合に限らず、この実施例が用いられる他の配電機器に用いても、もちろん良い。
【００４１】
また、実施例１及び３において取り付け金具１０を使用し、実施例２において取り付け金具２０を使用しているが、これらの構成に限らず、ベース４の内側から間隔をあけて設けた平板部を有する支持体とし、この平板部にブラケットを取り付ける構成であれば良い。
【００４２】
さらに、実施例２において、頭部に貫通孔１７ａを穿ったボルト１７を使用しているが、頭部を鈎型に曲げて形成したボルトを用意し、このボルトの鈎型の頭部を各係止片１６の貫通孔１６ｃに挿入し係止して用いることもできる（図示省略）。また、さらに、前記実施例１において、取り付け金具１０とブラケット１１との間に位置調整用板体２７を設けたが、これは、実施例２及び３においても使用出来ることは勿論である。
【図面の簡単な説明】
【００４３】
【図１】この発明の実施例１のベース内にブラケットを取り付けた状態の一部側面図である。
【図２】この発明の実施例１のベース内にブラケットを取り付けた状態の一部平面図である。
【図３】この発明の実施例１のベースの後側面の隙間にボルトを挿入することを示した斜視図である。
【図４】この発明の実施例１のベースの後側面の隙間にボルトを係止した状態の斜視図である。
【図５】この発明の実施例１に使用する取り付け金具の斜視図である。
【図６】この発明の実施例２に使用する鈎型係止片、及びこれらの鈎型係止片に固定する頭部に貫通孔を穿ったボルトの斜視図である。
【図７】この発明の実施例２の取り付け金具をベースに支持固定した状態の一部平面図である。
【図８】この発明の実施例２の取り付け金具をベースに支持固定した状態の一部側面図である。
【図９】この発明の実施例３の取り付け金具を支持固定した状態の一部平面図である。
【図１０】この発明の実施例１の他の例の板体の斜視図である。
【図１１】この発明の実施例１の他の例のベース内にブラケットを取り付けた状態の一部側面図である。
【図１２】従来の、外箱内の電力供給側、及び需要家側に断路器を収納設置している状態の一部正面図である。
【図１３】従来の、外箱内の電力供給側に断路器、及び需要家側に開閉器を収納設置した状態の一部正面図である。
【符号の説明】
【００４４】
Ａ    外箱                          Ｂ    断路器
Ｃ    開閉器
１    ケーブル                      ２    板体
３    ブラケット                    ４    ベース
５    隙間                          ６    隙間
７    底板                          ８    ケーブルヘッド
９    ボルト                      １０    取り付け金具
１１    ブラケット                  １２    ナット
１３    ボルト                      １４    ボルト
１５    ナット                      １６    係止片
１７    ボルト                      １８    チャネル型鋼材
１９    アングル型鋼材              ２０    取り付け金具
２１    六角ボルト                  ２２    ナット
２３    ナット                      ２４    ナット
２５    ボルト                      ２６    ＣＶケーブル
２７    位置調整用板体
【図１】
0004550121.tif 000002
【図２】
0004550121.tif 000003
【図３】
0004550121.tif 000004
【図４】
0004550121.tif 000005
【図５】
0004550121.tif 000006
【図６】
0004550121.tif 000007
【図７】
0004550121.tif 000008
【図８】
0004550121.tif 000009
【図９】
0004550121.tif 000010
【図１０】
0004550121.tif 000011
【図１１】
0004550121.tif 000012
【図１２】
0004550121.tif 000013
【図１３】
0004550121.tif 000014